【手続補正書】
【提出日】令和3年3月15日(2021.3.15)
【手続補正１】
【補正対象書類名】特許請求の範囲
【補正対象項目名】全文
【補正方法】変更
【補正の内容】
【特許請求の範囲】
【請求項１】
光ファイバケーブルの複数の光ファイバのうちの１つ以上の光ファイバからそれぞれ発信された１つ以上の光信号を受信するように構成された積分球と、
前記積分球内に位置付けられた第１の光検波器であって、前記第１の光検波器が、第１の波長領域で光応答し、前記１つ以上の光信号のうちの少なくとも１つの光信号を受信し、前記少なくとも１つの光信号を表す第１のデータを出力する、第１の光検波器と、
前記積分球に光結合され、前記１つ以上の光信号を受信し、前記１つ以上の光信号が前記センサに衝突した、１つ以上のそれぞれの位置を表すデータを出力するように構成されている、センサと、
前記第１の光検波器及び前記センサに結合されたプロセッサであって、
前記第１のデータを前記少なくとも１つの光信号を表すデータとして受信し、
前記少なくとも１つの光信号を表す前記データに基づいて、前記少なくとも１つの光信号と関連付けられた光強度を判定し、
前記１つ以上の位置を表す前記データを受信し、かつ
前記１つ以上の位置を表す前記データに基づいて、前記光ファイバケーブルの極性を判定するように構成されている、プロセッサと、を備える、光学測定装置。
【請求項２】
前記プロセッサが、前記少なくとも１つの光信号の光送信強度と前記少なくとも１つの光信号の前記判定された光強度との差に基づいて、前記少なくとも１つの光信号と関連付けられた光損失を判定するように構成されている、請求項１に記載の光学測定装置。
【請求項３】
前記プロセッサが、
前記１つ以上の光信号が前記センサにそれぞれ衝突した、前記センサに関連する１つ以上の位置を判定し、
前記センサに関連する前記１つ以上の位置に基づいて、前記１つ以上の光信号の１つ以上の受信位置をそれぞれ判定し、
前記１つ以上の光信号が前記センサにそれぞれ衝突した順序を判定し、かつ
前記順序及び前記１つ以上の受信位置に基づいて、前記光ファイバケーブルの前記極性を判定するように構成されている、請求項１に記載の光学測定装置。
【請求項４】
前記プロセッサが、
前記１つ以上の光信号が前記センサにそれぞれ衝突した、前記センサに関連する１つ以上の位置を判定し、
前記センサに関連する前記１つ以上の位置に基づいて、前記１つ以上の光信号の１つ以上の受信位置をそれぞれ判定し、かつ
前記１つ以上の光信号の前記１つ以上の受信位置及び１つ以上の送信位置に基づいて、前記光ファイバケーブルの前記極性をそれぞれ判定するように構成されている、請求項１に記載の光学測定装置。
【請求項５】
前記プロセッサが、前記１つ以上の光信号の固有のシグニチャに基づいて前記１つ以上の送信位置をそれぞれ特定するように構成されている、請求項４に記載の光学測定装置。
【請求項６】
前記積分球内に位置付けられた第２の光検波器であって、前記第２の光検波器が、前記第１の波長領域とは異なる第２の波長領域で光応答し、前記第２の光検波器が、前記１つ以上の光信号のうちの前記少なくとも１つの光信号を受信し、前記少なくとも１つの光信号を表す第２のデータを出力するように構成されている、第２の光検波器を備え、
前記プロセッサが、前記第２の光検波器に結合され、かつ
前記プロセッサが、前記第２のデータを前記少なくとも１つの光信号を表すデータとして受信するように構成されている、請求項１に記載の光学測定装置。
【請求項７】
前記プロセッサが、少なくとも、
前記少なくとも１つの光信号を表す前記第１のデータに基づいて、第１の光強度を特定することと、
前記少なくとも１つの光信号を表す前記第２のデータに基づいて、第２の光強度を特定することと、
前記第１の光強度が前記第２の光強度より大きいときに、前記第１のデータを選択し、前記第２の光強度が前記第１の光強度より大きいときに、前記第２のデータを選択することと、によって、前記第１のデータ及び前記第２のデータのうちの１つを、前記少なくとも１つの光信号を表すデータとして選択するように構成されている、請求項６に記載の光学測定装置。
【請求項８】
前記プロセッサが、少なくとも、
前記１つ以上の光信号の波長の表示を受信することと、
前記波長が前記第１の波長領域又は前記第２の波長領域内にあるかどうかを判定し、
前記波長が前記第１の波長領域内にあるときに、前記第１のデータを選択し、前記波長が前記第２の波長領域内にあるときに、前記第２のデータを選択することと、によって、前記第１のデータ及び前記第２のデータのうちの１つを、前記少なくとも１つの光信号を表す前記データとして選択するように構成されている、請求項６に記載の光学測定装置。
【請求項９】
前記センサが画像センサであり、前記光学測定装置が前記光ファイバケーブルの光コネクタを照明するための光を発するように構成された照明源を更に備え、
前記画像センサが、前記照明された光コネクタの画像を捕捉し、かつ前記画像を出力するように構成されており、
前記プロセッサが、前記画像を受信し、かつ前記画像を解析するように構成されている、請求項１に記載の光学測定装置。
【請求項１０】
前記画像を解析することが、前記画像に基づく前記光コネクタの汚染レベル、及び前記画像に基づいて特定された前記光ファイバケーブルの端面の数又は前記端面の配置に基づく前記光コネクタのタイプのうちの少なくとも１つを判定することを含む、請求項９に記載の光学測定装置。
【請求項１１】
前記プロセッサが、前記１つ以上の光信号のうちの１つの光信号の受信位置と前記光信号の対応する送信位置との間のオフセットに基づいて、前記光ファイバケーブルの前記極性を判定するように構成されている、請求項１に記載の光学測定装置。
【請求項１２】
前記積分球内にピンホールに光結合された近位端を有するチャンバを更に備え、前記センサが前記チャンバ内に配設されている、請求項１に記載の光学測定装置。
【請求項１３】
前記積分球内の前記ピンホール上に位置決めされたレンズを更に備える、請求項１２に記載の光学測定装置。
【請求項１４】
光ファイバケーブルの複数の光ファイバのうちの１つ以上の光ファイバからそれぞれ発信された１つ以上の光信号を受信することであって、前記１つ以上の光信号が各々波長を有する、受信することと、
画像センサによって、前記１つ以上の光信号の１つ以上の画像を捕捉することと、
前記１つ以上の画像に基づいて、前記１つ以上の光信号の１つ以上の受信位置をそれぞれ判定することと、
前記１つ以上の光信号の前記１つ以上の受信位置及び１つ以上の送信位置の両方に基づいて、前記光ファイバケーブルの極性をそれぞれ判定することと、
１つ以上の光検波器を使用して、前記１つ以上の光検波器のうちの少なくとも１つによって出力された光強度を表すデータに基づいて、前記１つ以上の光信号の前記光強度又は損失を判定することと、を含む、方法。
【請求項１５】
前記光強度又は損失を判定することが、
前記波長が前記１つ以上の光検波器のうちの第１の光検波器の第１の光応答領域内にあるときに、前記第１の光検波器によって出力された前記光強度を表すデータに基づいて、前記１つ以上の光信号の前記光強度又は損失を判定することと、前記波長が前記１つ以上の光検波器のうちの第２の光検波器の第２の光応答領域内にあるときに、前記第２の光検波器によって出力された前記光強度を表すデータに基づいて、前記１つ以上の光信号の前記光強度又は損失を判定することと、を含み、前記第１の光応答領域及び前記第２の光応答領域は異なる、請求項１４に記載の方法。
【請求項１６】
前記第１の光検波器によって出力された前記光強度を表す前記データに基づいて、第１の光強度を判定することと、
前記第２の光検波器によって出力された光強度を表す前記データに基づいて、第２の光強度を判定することと、
前記第１の光強度が前記第２の光強度より大きいときに、前記波長が前記第１の光検波器の前記第１の光応答領域内にあると判定し、前記第１の光検波器によって出力された前記光強度を表す前記データに基づいて、前記１つ以上の光信号の前記光強度又は損失を判定することと、
前記第２の光強度が前記第１の光強度より大きいときに、前記第２の光検波器によって出力された前記光強度を表す前記データに基づいて、前記１つ以上の光信号の前記光強度又は損失を判定することと、を含む、請求項１５に記載の方法。
【請求項１７】
前記１つ以上の光信号の前記波長の表示を受信することを含む、請求項１５に記載の方法。
【請求項１８】
前記波長が前記第１の光応答領域内にあるときに、前記第１の光検波器に、前記光強度を表すデータの測定又は出力を停止するように命令することと、前記波長が前記第２の光応答領域内にあるときに、前記第２の光検波器に、前記光強度を表すデータの測定又は出力を停止するように命令することと、を含む、請求項１７に記載の方法。
【請求項１９】
前記１つ以上の受信位置を判定することが、
前記１つ以上の画像に基づいて、前記１つ以上の光信号が前記画像センサにそれぞれ衝突した、前記画像センサに関連する１つ以上の位置を判定することと、
前記画像センサに関連する前記１つ以上の位置に基づいて、前記１つ以上の受信位置を判定することと、を含む、請求項１４に記載の方法。
【請求項２０】
前記光ファイバケーブルの光コネクタを照明するための光を発することと、
前記照明された光コネクタの画像を捕捉することと、
前記画像を解析して、前記光コネクタの汚染レベルを判定することと、を含む、請求項１４に記載の方法。
【請求項２１】
前記光コネクタを解析することが、前記画像に基づいて特定された端面の数又は前記端面の配置に基づいて、前記光コネクタのタイプを判定することを含む、請求項２０に記載の方法。
【手続補正２】
【補正対象書類名】明細書
【補正対象項目名】０００７
【補正方法】変更
【補正の内容】
【０００７】
一実施形態では、プロセッサは、少なくとも、１つ以上の光信号の波長の表示を受信することと、波長が第１の波長領域又は第２の波長領域内にあるかどうかを判定し、波長が第１の波長領域内にあるときに、第１のデータを選択することと、波長が第２の波長領域内にあるときに、第２のデータを選択することと、によって第１のデータ及び第２のデータのうちの１つを選択するように構成されている。